(57)【要約】【課題】製品の歩留りを向上できる電子機器を提供する。【解決手段】電子機器は、開口部２７およびこれに隣接した第１の重ね代部３７を有する金属製の筐体と、第１の重ね代部３７に重なった第２の重ね代部４３を有するとともに、開口部２７を覆った樹脂製のカバー２８と、筐体の第１の重ね代部３７と、カバー２８の第２の重ね代部４３と、を固定したねじ３２と、筐体の外面と、カバー２８の外面と、ねじ３２の一部とを覆った遮光性のフィルム３３と、を具備する。【選択図】図５
2011022769.tif 000002
【特許請求の範囲】
【請求項１】
開口部およびこれに隣接した第１の重ね代部を有する金属製の筐体と、
前記第１の重ね代部に重なった第２の重ね代部を有するとともに、前記開口部を覆った樹脂製のカバーと、
前記筐体の前記第１の重ね代部と、前記カバーの前記第２の重ね代部と、を固定したねじと、
前記筐体の外面と、前記カバーの外面と、前記ねじの一部とを覆ったフィルムと、
を具備することを特徴とする電子機器。
【請求項２】
前記第２の重ね代部は、前記カバーの外面から窪んだ凹部を有し、この凹部は、前記ねじの頭部を収容したことを特徴とする請求項１に記載の電子機器。
【請求項３】
前記フィルムは、遮光性を有することを特徴とする請求項２に記載の電子機器。
【請求項４】
開口部およびこれに隣接した第１の重ね代部を有する金属製の筐体と、
前記第１の重ね代部に重なった第２の重ね代部を有するとともに、前記開口部を覆った樹脂製のカバーと、
前記第１の重ね代部に設けられた貫通孔部およびこれの周囲を規定する縁部と、
前記第２の重ね代部から突出して設けられ、前記貫通孔部に通されるとともに、前記第１の重ね代部の前記第２の重ね代部に対向する第１の面とは反対側の第２の面で前記縁部に引っ掛かったフック部と、
前記筐体の外面と、前記カバーの外面と、を覆ったフィルムと、
を具備することを特徴とする電子機器。
【請求項５】
前記フィルムは、遮光性を有することを特徴とする請求項４に記載の電子機器。
【請求項６】
開口部およびこれに隣接した第１の重ね代部を有する金属製の筐体と、
前記第１の重ね代部に重なった第２の重ね代部を有するとともに、前記開口部を覆った樹脂製のカバーと、
前記第１の重ね代部に設けられた貫通孔部およびこれの周囲を規定する縁部と、
前記第２の重ね代部から突出して設けられ、前記貫通孔部に圧入された圧入ピンと、
前記筐体の外面と、前記カバーの外面と、を覆ったフィルムと、
を具備することを特徴とする電子機器。
【請求項７】
前記フィルムは、遮光性を有することを特徴とする請求項６に記載の電子機器。
【発明の詳細な説明】
【技術分野】
【０００１】
本発明は、アンテナカバーを備えた電子機器に関する。
【背景技術】
【０００２】
アンテナカバーを有した電子機器が開示されている。この電子機器は、金属製の筐体と、筐体に設けられた開口部と、開口部を覆うアンテナカバーと、を備えている。筐体は、開口部に隣接して貫通孔部を有している。また、アンテナカバーは、貫通孔部に通される溶着用突起をその端部に有している。
【０００３】
この電子機器では、貫通孔部に溶着用突起を通した状態で、溶着用突起に熱を加えてこれを押しつぶすように変形させることで、アンテナカバーを筐体の開口部に固定する（例えば、特許文献１参照）。
【先行技術文献】
【特許文献】
【０００４】
【特許文献１】特開２００８−３７１４号公報
【発明の概要】
【発明が解決しようとする課題】
【０００５】
上記のように、溶着を利用してアンテナカバーを筐体に固定する際に、溶着用突起に熱を加えすぎると、アンテナカバーの本体部分から溶着用突起が脱落することがある。このため、このアンテナカバーの固定には、作業者の熟練を要するものとなっていた。
【０００６】
本発明の目的は、製品の歩留りを向上することができる電子機器を提供することにある。
【課題を解決するための手段】
【０００７】
前記目的を達成するため、本発明の一つの形態に係る電子機器は、開口部およびこれに隣接した第１の重ね代部を有する金属製の筐体と、第１の重ね代部に重なった第２の重ね代部を有するとともに、開口部を覆った樹脂製のカバーと、筐体の第１の重ね代部と、カバーの第２の重ね代部と、を固定するねじと、筐体の外面と、カバーの外面と、ねじの一部とを覆う遮光性のフィルムと、を具備する。
【発明の効果】
【０００８】
上記の構成によれば、製品の歩留りを向上することができる電子機器を提供できる。
【図面の簡単な説明】
【０００９】
【図１】第１の実施形態に係るポータブルコンピュータを示す斜視図。
【図２】図１に示すポータブルコンピュータの第２のケースの背面図。
【図３】図１に示すポータブルコンピュータの表示ユニットの背面図。
【図４】図１に示すポータブルコンピュータの表示ユニットを取り外した状態を示す側面図。
【図５】図４に示すポータブルコンピュータの表示ユニットのＦ３で囲まれる領域を縦方向に切断して示した断面図。
【図６】第２の実施形態に係るポータブルコンピュータの表示ユニットの縦方向に沿った断面図。
【図７】第３の実施形態に係るポータブルコンピュータの表示ユニットの縦方向に沿った断面図。
【図８】第４の実施形態に係るポータブルコンピュータの表示ユニットの縦方向に沿った断面図。
【図９】第５の実施形態に係るポータブルコンピュータの表示ユニットの縦方向に沿った断面図。
【図１０】第６の実施形態に係るポータブルコンピュータの表示ユニットの縦方向に沿った断面図。
【発明を実施するための形態】
【００１０】
以下に、図１から図５を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を回転可能に支持している。表示ユニット１３は、図４に示すように本体ユニット１２に対して起立した第１の位置と、本体ユニット１２に対して平行になるようにこれに被さった第２の位置と、の間で回転することができる。
【００１２】
図１に示すように、本体ユニット１２は、例えば、金属によって形成される本体キャビネット２１と、本体キャビネット２１の上面に取り付けられたキーボード２２およびタッチパッド２３と、本体キャビネット２１の内部に収容されたプリント回路板と、を有している。プリント回路板２４は、これに実装されるＣＰＵなどの回路部品を有している。本体キャビネット２１は、金属材料、例えば、マグネシウム合金を用いたマグネシウムダイカストによって形成されている。本体キャビネット２１は、例えばアルミニウム合金製であってもよい。
【００１３】
図１から図５に示すように、表示ユニット１３は、ディスプレイ２５と、ディスプレイ２５の周囲を取り囲むディスプレイキャビネット２６と、ディスプレイキャビネット２６に設けられた開口部２７と、この開口部２７を覆うカバー２８と、ディスプレイキャビネット２６の内部に設けられる複数のアンテナ３１と、ディスプレイキャビネット２６の第２のケース３５とカバー２８とを固定するためのねじ３２と、ディスプレイキャビネット２６の外面およびカバー２８の外面に設けられる遮光性のフィルム３３と、を有している。ディスプレイ２５の一例として、本実施形態では、液晶ディスプレイが搭載されている。なお、本発明にいう筐体は、本体キャビネット２１とディスプレイキャビネット２６とを含んだ概念である。
【００１４】
複数のアンテナ３１（アンテナ回路基板）は、Ｂｌｕｅｔｏｏｔｈ（登録商標）や無線ＬＡＮ、無線ＷＡＮ、ＷｉＭＡＸ、ＵＷＢ、またはＧＰＳのような通信方式、或いは３Ｇや３．５Ｇのような携帯電話方式といった各方式にそれぞれ対応している。図１に示すように、複数のアンテナ３１は、例えば、後述するディスプレイキャビネット２６の第２のケース３５と、カバー２８との両方に跨る位置で、横並びに配置されている。複数のアンテナ３１は、第２のケース３５と、カバー２８との両方に跨る位置に、例えば接着等の手段で、第２のケース３５およびカバー２８の内側から固定されている。なお、図１では、アンテナ３１は、例えば３個のみ示されているが、この数に限定されるものではなく、アンテナ３１の数は、２個以下でもよく、４個以上であってもよい。
【００１５】
図４、図５に示すように、ディスプレイキャビネット２６は、ディスプレイ２５の前面を覆う第１のケース３４と、ディスプレイ２５の背面を覆う第２のケース３５と、を有している。第１のケース３４は、例えば、ガラス等によって透明な平板状に形成されている。第１のケース３４は、ディスプレイ２５の外周部のみを覆う方形枠状のものであってもよい。第１のケース３４は、例えば、アクリル系の合成樹脂によって平板状に形成されていてもよい。
【００１６】
第２のケース３５は、金属材料、例えば、マグネシウム合金を用いたマグネシウムダイカストによって形成されている。この第２のケース３５は、マグネシウム合金を鋳造して形成するものに限定されるものではなく、例えば、アルミニウム合金を用いたアルミニウムダイカストで形成したり、アルミニウム合金等の板材にプレス加工を施して、折り曲げて形成したりしてもよい。
【００１７】
第２のケース３５は、本体部３６を有しており、この本体部３６は、全体として平板状をなしており、カバー２８と隣接している辺部以外の辺部において、周縁部が滑らかに円弧状に立ち上がっている。図５に示すように、第２のケース３５は、さらに、開口部２７に隣接した位置に設けられる第１の重ね代部３７を有している。第１の重ね代部３７には、円形の第１の貫通孔部３８が設けられている。第１の貫通孔部３８の内面には、ねじ３２の軸部３２Ａが固定される雌ねじが形成されている。
【００１８】
カバー２８は、開口部２７を覆う被覆部４２と、被覆部４２から突出して第１の重ね代部３７に重なるように設けられる第２の重ね代部４３と、第２の重ね代部４３で外界に臨んだ位置に設けられた凹部４３Ａと、を有している。第２の重ね代部４３は、第２のケース３５の第１の重ね代部３７の上側に重なって、第１の重ね代部３７に固定される。第２の重ね代部４３には、円形の第２の貫通孔部４４が設けられている。第２の貫通孔部４４の直径は、第１の貫通孔部３８の直径と略同等か、第１の貫通孔部３８の直径よりも若干大きい直径を有している。この第２の貫通孔部４４の内側には雌ねじは形成されていない。凹部４３Ａは、ねじ３２の頭部３２Ｂの高さ寸法分だけ、カバー２８の外面から窪んで形成されている。
【００１９】
ねじ３２は、第１の貫通孔部３８および第２の貫通孔部４４に通される軸部３２Ａと、軸部３２Ａの一方の端部に設けられる頭部３２Ｂと、を有している。ねじ３２は、第２のケース３５の第１の重ね代部３７と、カバー２８の第２の重ね代部４３と、を固定している。ねじ３２の頭部３２Ｂは、凹部４３Ａの内側に収容されており、第２のケース３５およびカバー２８の表面からねじ３２の頭部３２Ｂが突出しないようになっている。
【００２０】
遮光性のフィルム３３は、例えば、ＩＭＦ（In Mold Film）加工によって第２のケース３５の外面とカバー２８の外面とに密着されている。遮光性のフィルム３３は、第２のケース３５の外面、カバー２８の外面、およびねじ３２の一部を覆って、これらに加飾を行うものである。次にこの遮光性のフィルム３３の接着方法について説明する。
【００２１】
まず、遮光性のフィルム３３の接着に先立って、予め遮光性のフィルム３３の裏面に接着剤を塗布する。遮光性のフィルム３３の接着には、２種類の接着剤が用いられ、遮光性のフィルム３３の第２のケース３５に対応する領域には、例えばアクリル樹脂系の接着剤を塗布する。遮光性のフィルム３３のカバー２８に対応する領域には、例えばエポキシ系の接着剤を塗布する。また、第２のケース３５とカバー２８とは、ねじ３２によって予め固定しておく。そして、遮光性のフィルム３３と、第２のケース３５およびカバー２８とを真空圧空成形機の内部に設置して、真空圧空成形を行う。これによって、第２のケース３５、カバー２８、ねじ３２の一部の外面が、遮光性のフィルム３３によって密着するように覆われて、第２のケース３５およびカバー２８の加飾が完了する。
【００２２】
なお、本実施形態のように、２種類の接着剤を用いて真空圧空成形を行うと、１つの接着剤を用いて接着した場合に比して、材質の異なる第２のケース３５およびカバー２８に対する遮光性のフィルム３３の密着性が向上する。また、他の加飾手法で第２のケース３５とカバー２８の表面を加飾する場合には、円弧状に曲がったカバー２８の端部までフィルム３３が密着しないことがあるが、本実施形態では、真空圧空成形を利用しているので、カバー２８の端面まで確実にフィルム３３を密着させることができる。
【００２３】
図２に示すように、本実施形態の第２のケース３５は、角部３５１を有する。遮光性のフィルム３３は、カバー２８を跨いで第２のケース３５両端の角部３５１に其々密着するため、カバー２８を第２のケース３５の装着位置に保持することができる。
【００２４】
第１の実施形態によれば、ポータブルコンピュータ１１は、開口部２７およびこれに隣接した第１の重ね代部３７を有する金属製の筐体と、第１の重ね代部３７に重なった第２の重ね代部４３を有するとともに、開口部２７を覆った樹脂製のカバー２８と、筐体の第１の重ね代部３７と、カバー２８の第２の重ね代部４３と、を固定したねじ３２と、筐体の外面と、カバー２８の外面と、ねじ３２の一部とを覆った遮光性のフィルム３３と、を具備する。
【００２５】
この構成によれば、溶着を用いることなく筐体とカバー２８とを固定できるため、溶着用突起の脱落等、溶着失敗による不良品を生ずることを防止できる。このため、ねじ３２を用いた簡単な構造で、製品の歩留りを向上できる。また、遮光性のフィルム３３によって、筐体とカバー２８の境界部、およびねじ３２の一部を隠すことができるため、製品の体裁も良好にすることができる。さらに、１つの遮光性のフィルム３３によって筐体とカバー２８との接続箇所を補強できるため、カバー２８の取付け強度を向上することができる。
【００２６】
この場合、第２の重ね代部４３は、カバー２８の外面から窪んだ凹部４３Ａを有し、この凹部４３Ａは、ねじ３２の頭部を収容した。この構成によれば、筐体、カバー２８および第２の重ね代部４３の外面からねじ３２の頭部３２Ｂが突出してしまうことがなく、電子機器の体裁を良好にすることができる。また、ねじ３２の頭部３２Ｂが突出することを防止して、ねじ３２の位置で遮光性のフィルム３３が破れ易くなってしまうことを防止できる。
【００２７】
続いて、図６を参照して、電子機器の第２の実施形態について説明する。第２の実施形態の電子機器の一例であるポータブルコンピュータ１１は、ねじ３２の取付け方向が第１の実施形態のものと異なっているが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００２８】
第２の実施形態では、ねじ３２は、ディスプレイキャビネット２６の内側から固定されており、その頭部３２Ｂがディスプレイキャビネット２６の内側に位置するように固定される。ねじ３２は、第１の貫通孔部３８および第２の貫通孔部４４に通される軸部３２Ａと、軸部３２Ａの一方の端部に設けられる頭部３２Ｂと、を有している。ねじ３２は、第２のケース３５の第１の重ね代部３７と、カバー２８の第２の重ね代部４３と、を固定している。
【００２９】
第２の実施形態によれば、ねじ３２の固定方向が逆向きで、ねじ３２の頭部３２Ｂがディスプレイキャビネット２６の内側に配置される場合であっても、ねじ３２を用いた簡単な構造で、製品の歩留りを向上できる。また、遮光性のフィルム３３によって筐体とカバー２８との境界部およびねじ３２の一部を隠すことができ、体裁も良好にすることができる。
【００３０】
続いて、図７を参照して、電子機器の第３の実施形態について説明する。第３の実施形態の電子機器の一例であるポータブルコンピュータ１１は、ねじ３２の代わりにフック部５４を用いている点で第１の実施形態のものと異なっているが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００３１】
第２のケース３５は、本体部３６および開口部２７に隣接した位置に設けられる第１の重ね代部３７を有している。第１の重ね代部３７には、円形の貫通孔部３８と、貫通孔部３８の周囲を規定する縁部５１と、が設けられている。第１の重ね代部３７は、カバー２８の第２の重ね代部４３に対向する第１の面５２と、第１の面５２とは反対側の第２の面５３と、を有している。
【００３２】
カバー２８は、開口部２７を覆う被覆部４２と、被覆部４２から突出して第１の重ね代部３７に重なるように設けられる第２の重ね代部４３と、第２の重ね代部４３から突出して設けられるフック部５４と、を有している。第２の重ね代部４３は、第２のケース３５の第１の重ね代部３７の上側に重ねられている。このフック部５４は、貫通孔部３８の内側に通されている。
【００３３】
フック部５４は、全体として円筒形をなしており、中心を通るスリット５５によって第１の部分５４Ａと第２の部分５４Ｂに分断されている。フック部５４は、先端部に爪５６を有している。フック部５４の爪５６は、第１の重ね代部３７の第２の面５３で、縁部５１に引っ掛かっている。遮光性のフィルム３３は、第２のケース３５の外面と、カバー２８の外面と、を覆っている。
【００３４】
第３の実施形態によれば、ポータブルコンピュータ１１は、開口部２７およびこれに隣接した第１の重ね代部３７を有する金属製の筐体と、第１の重ね代部３７に重なった第２の重ね代部４３を有するとともに、開口部２７を覆った樹脂製のカバー２８と、第１の重ね代部３７に設けられた貫通孔部３８およびこれの周囲を規定する縁部５１と、第２の重ね代部４３から突出して設けられ、貫通孔部３８に通されるとともに、第１の重ね代部３７の第２の重ね代部４３に対向する第１の面５２とは反対側の第２の面５３で縁部５１に引っ掛かったフック部５４と、筐体の外面と、カバー２８の外面と、を覆った遮光性のフィルム３３と、を具備する。
【００３５】
この構成によれば、フック部５４を用いることで、溶着を用いないで筐体とカバー２８とを固定することができ、溶着失敗による不良品の発生を防止して、製品の歩留りを向上できる。筐体およびカバー２８が遮光性のフィルム３３によって覆われるため、フック部５４が外部に露出されることがなく、製品の体裁も良好にすることができる。さらに、１つの遮光性のフィルム３３によって筐体とカバー２８との接続箇所を補強することができるため、カバー２８の取付け強度を向上することができる。
【００３６】
続いて、図８を参照して、電子機器の第４の実施形態について説明する。第４の実施形態の電子機器の一例であるポータブルコンピュータ１１は、フック部５４の代わりに圧入ピン６１を用いている点で第３の実施形態のものと異なっているが、他の部分は第３の実施形態と共通している。このため、主として異なる部分について説明し、共通する部分については共通の符号を付して説明を省略する。ポータブルコンピュータ１１は、図１に示す第１の実施形態のものと同様の外観を有する。
【００３７】
第２のケース３５は、本体部３６および開口部２７に隣接した位置に設けられる第１の重ね代部３７を有している。第１の重ね代部３７には、円形の貫通孔部３８と、これの周囲を規定する縁部５１と、が設けられている。
【００３８】
カバー２８は、開口部２７を覆う被覆部４２と、被覆部４２から突出して第１の重ね代部３７に重なるように設けられる第２の重ね代部４３と、第２の重ね代部４３から突出して設けられる圧入ピン６１と、を有している。第２の重ね代部４３は、第２のケース３５の第１の重ね代部３７の上側に重ねられている。
【００３９】
圧入ピン６１は、第１の重ね代部３７の貫通孔部３８の直径と同等か、貫通孔部３８の直径よりも若干大きい寸法で形成されている。第２のケース３５の第１の重ね代部３７と、カバー２８の第２の重ね代部４３とは、貫通孔部３８の内側に圧入ピン６１がきっちりと嵌め入れられることで強固に固定される。遮光性のフィルム３３は、第２のケース３５の外面と、カバー２８の外面と、を覆っている。
【００４０】
第４の実施形態によれば、ポータブルコンピュータ１１は、開口部２７およびこれに隣接した第１の重ね代部３７を有する金属製の筐体と、第１の重ね代部３７に重なった第２の重ね代部４３を有するとともに、開口部２７を覆った樹脂製のカバー２８と、第１の重ね代部３７に設けられた貫通孔部３８およびこれの周囲を規定する縁部５１と、第２の重ね代部４３から突出して設けられ、貫通孔部３８に圧入された圧入ピン６１と、筐体の外面と、カバー２８の外面と、を覆った遮光性のフィルム３３と、を具備する。
【００４１】
この構成によれば、圧入ピン６１を用いた簡単な構造で第２のケース３５とカバー２８とを固定することができ、溶着作業の失敗による不良品の発生を防止して、製品の歩留りを向上することができる。また、遮光性のフィルム３３によって筐体とカバー２８の継ぎ目を隠すことができるため、製品の体裁を良好にすることができる。
【００４２】
続いて、図９を参照して、電子機器の第５の実施形態について説明する。図９は、第５の実施形態に係るポータブルコンピュータの表示ユニットの縦方向に沿った断面図である。
【００４３】
第５の実施形態の電子機器の一例であるポータブルコンピュータ１１では、表示ユニット１３における遮光性のフィルム３３の貼り付け領域が第１の実施形態と異なるが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００４４】
図９に示すように、遮光性のフィルム３３は、第２のケース３５とカバー２８とに亘って貼り付けられている。遮光性のフィルム３３は、例えば、真空熱転写によって表示ユニット１３の第２のケース３５とカバー２８とに接着される。
【００４５】
真空熱転写によって遮光性のフィルム３３を表示ユニット１３に貼り付けた場合、当該遮光性のフィルム３３をカバー２８の端部２８１まで密着させることが出来る。このような構成により、カバー２８の端面まで確実にフィルム３３を密着させることができるとともに、フィルム３３の端面における剥離を抑制できる。
【００４６】
続いて、図１０を参照して、電子機器の第６の実施形態について説明する。図１０は、第６の実施形態に係るポータブルコンピュータの表示ユニットの縦方向に沿った断面図である。
【００４７】
第６の実施形態の電子機器の一例であるポータブルコンピュータ１１では、表示ユニット１３における遮光性のフィルム３３の貼り付け領域が第１の実施形態と異なるが、他の部分は第１の実施形態と共通している。このため、主として異なる部分について説明し、共通する部分については共通の符号を付して説明を省略する。ポータブルコンピュータ１１は、図１に示す第１の実施形態のものと同様の外観を有する。
【００４８】
図１０に示すように、遮光性のフィルム３３は、第５の実施形態の実施形態と同様に、例えば、真空熱転写によって表示ユニット１３に貼付けられる。本実施例における遮光性のフィルム３３は、カバー２８を跨いで、第１のケース３４と第２のケース３５とに亘って貼り付けられている。
【００４９】
このような構成により、第５の実施形態におけるポータブルコンピュータ１１と同様の効果を得られるとともに、例えば第２のケース３５の形状が、角部３５１を有していない形状、即ち、開口部２７が第２のケース３５における左右の両端まで延びて設けられている形状であっても、フィルム３３によって第２のケース３５にカバー２８を装着するとともに、高い取付け強度でカバー２８を保持することが可能となる。
【００５０】
また、本実施例では、第１のケース３４と第２のケース３５との境界をフィルム３３により覆っているため、当該表示ユニットの美観を向上させ、表示ユニットにおける加飾バリエーションを多様に広げることができる。
【００５１】
電子機器は、上記実施形態に示したポータブルコンピュータ１１用に限らず、例えば携帯電話機のようなその他の電子機器に対しても実施可能である。その他、電子機器は、発明の要旨を逸脱しない範囲で種々変形して実施できることは勿論である。
【符号の説明】
【００５２】
１１…ポータブルコンピュータ、２６…ディスプレイキャビネット、２７…開口部、２８…カバー、３２…ねじ、３２Ａ…軸部、３２Ｂ…頭部、３３…遮光性のフィルム、３５…第２のケース、３７…第１の重ね代部、３８…第１の貫通孔部、４３…第２の重ね代部、４３Ａ…凹部、４４…第２の貫通孔部、５１…縁部、５２…第１の面、５３…第２の面、５４…フック部、６１…圧入ピン
【図１】
2011022769.tif 000003
【図２】
2011022769.tif 000004
【図３】
2011022769.tif 000005
【図４】
2011022769.tif 000006
【図５】
2011022769.tif 000007
【図６】
2011022769.tif 000008
【図７】
2011022769.tif 000009
【図８】
2011022769.tif 000010
【図９】
2011022769.tif 000011
【図１０】
2011022769.tif 000012
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
表示画面を有する表示装置と、
前記表示画面が露出される第１開口部が設けられた第１筐体と、
周縁に位置された第２開口部とこの第２開口部に隣接した第１重ね代部とが設けられ、前記第１筐体とは反対側から前記表示装置を覆った金属製の第２筐体と、
前記第１重ね代部に固定された第２重ね代部を有するとともに、前記第２開口部を覆った樹脂製のカバーと、
前記第１筐体と前記カバーと前記第２筐体とに亘り、前記第２筐体の外面と前記カバーの外面とを覆った膜と、
を具備することを特徴とする電子機器。
【手続補正２】
【補正対象書類名】明細書
【補正対象項目名】０００７
【補正方法】変更
【補正の内容】
【０００７】
前記目的を達成するため、本発明の一つの形態に係る電子機器は、表示画面を有する表示装置と、前記表示画面が露出される第１開口部が設けられた第１筐体と、周縁に位置された第２開口部とこの第２開口部に隣接した第１重ね代部とが設けられ、前記第１筐体とは反対側から前記表示装置を覆った金属製の第２筐体と、前記第１重ね代部に固定された第２重ね代部を有するとともに、前記第２開口部を覆った樹脂製のカバーと、前記第１筐体と前記カバーと前記第２筐体とに亘り、前記第２筐体の外面と前記カバーの外面とを覆った膜と、を具備する。
【手続補正３】
【補正対象書類名】明細書
【補正対象項目名】００５１
【補正方法】変更
【補正の内容】
【００５１】
電子機器は、上記実施形態に示したポータブルコンピュータ１１用に限らず、例えば携帯電話機のようなその他の電子機器に対しても実施可能である。その他、電子機器は、発明の要旨を逸脱しない範囲で種々変形して実施できることは勿論である。
以下に、本願出願の当初の特許請求の範囲に記載された発明を付記する。
［１］
開口部およびこれに隣接した第１の重ね代部を有する金属製の筐体と、
前記第１の重ね代部に重なった第２の重ね代部を有するとともに、前記開口部を覆った樹脂製のカバーと、
前記筐体の前記第１の重ね代部と、前記カバーの前記第２の重ね代部と、を固定したねじと、
前記筐体の外面と、前記カバーの外面と、前記ねじの一部とを覆ったフィルムと、
を具備することを特徴とする電子機器。
［２］
前記第２の重ね代部は、前記カバーの外面から窪んだ凹部を有し、この凹部は、前記ねじの頭部を収容したことを特徴とする［１］に記載の電子機器。
［３］
前記フィルムは、遮光性を有することを特徴とする［２］に記載の電子機器。
［４］
開口部およびこれに隣接した第１の重ね代部を有する金属製の筐体と、
前記第１の重ね代部に重なった第２の重ね代部を有するとともに、前記開口部を覆った樹脂製のカバーと、
前記第１の重ね代部に設けられた貫通孔部およびこれの周囲を規定する縁部と、
前記第２の重ね代部から突出して設けられ、前記貫通孔部に通されるとともに、前記第１の重ね代部の前記第２の重ね代部に対向する第１の面とは反対側の第２の面で前記縁部に引っ掛かったフック部と、
前記筐体の外面と、前記カバーの外面と、を覆ったフィルムと、
を具備することを特徴とする電子機器。
［５］
前記フィルムは、遮光性を有することを特徴とする［４］に記載の電子機器。
［６］
開口部およびこれに隣接した第１の重ね代部を有する金属製の筐体と、
前記第１の重ね代部に重なった第２の重ね代部を有するとともに、前記開口部を覆った樹脂製のカバーと、
前記第１の重ね代部に設けられた貫通孔部およびこれの周囲を規定する縁部と、
前記第２の重ね代部から突出して設けられ、前記貫通孔部に圧入された圧入ピンと、
前記筐体の外面と、前記カバーの外面と、を覆ったフィルムと、
を具備することを特徴とする電子機器。
［７］
前記フィルムは、遮光性を有することを特徴とする請求項６に記載の電子機器。